(57)【要約】【課題】より的確に荷物を外部環境から保護することの可能な宅配ボックスを提供する。【解決手段】宅配ボックス１０は、一対のボックス本体２０，３０と、屋根部材４０とを備える。一対のボックス本体２０，３０は、荷物の出し入れの行われる前面が互いに対向するように配置され、且つそれぞれの前面の間に所定の通路空間ＳＰが形成されるように配置される。屋根部材４０は、一方のボックス本体２０の天井面と他方のボックス本体３０の天井面とを橋渡しするように設けられる。【選択図】図１
2019195503.tif 000002
【特許請求の範囲】
【請求項１】
荷物の出し入れの行われる前面が互いに対向するように配置され、且つそれぞれの前面の間に所定の通路空間が形成されるように配置される一対のボックス本体と、
前記一対のボックス本体のうちの一方のボックス本体の天井面と他方のボックス本体の天井面とを橋渡しするように設けられる屋根部材と、を備える
宅配ボックス。
【請求項２】
前記屋根部材には、通気口が設けられている
請求項１に記載の宅配ボックス。
【請求項３】
前記屋根部材には、日光に基づいて発電するソーラパネルが設けられている
請求項１又は２に記載の宅配ボックス。
【請求項４】
前記屋根部材は、設置面に対して傾斜するように前記一対のボックス本体のそれぞれの天井面に固定されている
請求項１〜３のいずれか一項に記載の宅配ボックス。
【請求項５】
前記一対のボックス本体のそれぞれの側面の間に位置する前記通路空間の開口部分を開閉する扉部材を更に備える
請求項１〜４のいずれか一項に記載の宅配ボックス。
【発明の詳細な説明】
【技術分野】
【０００１】
本開示は、荷物を収容可能な宅配ボックスに関する。
【背景技術】
【０００２】
従来、特許文献１に記載の宅配ボックスがある。特許文献１に記載の宅配ボックスは、ボックス本体と、扉とを備えている。ボックス本体の内部には、その内部空間を相互に独立した２つの収容空間に仕切る棚板が形成されている。扉は、２つの収容空間の前面の開口部に対して個々に開閉可能に取り付けられている。
【先行技術文献】
【特許文献】
【０００３】
【特許文献１】特開２０１６−３４４０４号公報
【発明の概要】
【発明が解決しようとする課題】
【０００４】
ところで、特許文献１に記載されるような宅配ボックスを屋外に設置する場合、宅配ボックスを操作するユーザや、ボックスから取り出された荷物に雨水等が当たり難くなるように、宅配ボックスの天井部分に屋根部材を設置することが考えられる。屋根部材の設置方法としては、例えば屋根部材の基端部を宅配ボックスの天井部分に固定するとともに、屋根部材の先端部を宅配ボックスの前面よりも前方に飛び出すように配置する方法が考えられる。
【０００５】
しかしながら、このように屋根部材を宅配ボックスに設置した場合でも、例えば強風雨の状況では、雨水が強風と共に宅配ボックスの前面の空間に吹き込むため、宅配ボックスに荷物を入れる際、又は宅配ボックスから荷物を取り出す際に、荷物に雨水が当たるおそれがある。また、屋根部材に近い宅配ボックスの上部に照射される日光は屋根部材により遮断することが可能であるものの、宅配ボックスの下部に照射される日光を屋根部材により完全に遮断することは難しい。そのため、特に宅配ボックスの下部において温度が上昇し易くなるため、その内部に収容されている荷物の劣化が進み易くなる等の懸念がある。
【０００６】
本開示は、こうした実情に鑑みてなされたものであり、その目的は、より的確に荷物を外部環境から保護することの可能な宅配ボックスを提供することにある。
【課題を解決するための手段】
【０００７】
上記課題を解決する宅配ボックスは、一対のボックス本体と、屋根部材とを備える。一対のボックス本体は、荷物の出し入れの行われる前面が互いに対向するように配置され、且つそれぞれの前面の間に所定の通路空間が形成されるように配置される。屋根部材は、一対のボックス本体のうちの一方のボックス本体の天井面と他方のボックス本体の天井面とを橋渡しするように設けられる。
【０００８】
この構成によれば、一対のボックス本体のそれぞれの前面の間に形成される通路空間が一対のボックス本体及び屋根部材により覆われているため、仮に強風雨の状況であっても、通路空間への雨水の進入を抑制することができる。よって、通路空間において荷物の収容及び取り出しを行う際に、荷物に雨水が当たり難くなる。また、通路空間が屋根部材により覆われることで、通路空間への日光の照射を屋根部材により遮ることができる。結果的に、一対のボックス本体の下部に日光が照射され難くなるため、日光の照射に起因するボックス本体の温度上昇を抑制することができる。したがって、温度上昇に起因する荷物の劣化を抑制することができる。このように、上記構成によれば、より的確に荷物を外部環境から保護することが可能となる。
【０００９】
上記の宅配ボックスにおいて、屋根部材には、通気口が設けられていることが好ましい。
この構成によれば、通路空間内の空気を通気口から外部に排出することができる。また、ボックス本体の内部から通路空間に流れる空気を通気口から外部に排出することもできる。よって、通路空間及びボックス本体の内部における空気の循環性を向上させることができるため、通路空間及びボックス本体の内部の温度上昇を抑制することができる。
【００１０】
上記の宅配ボックスにおいて、屋根部材には、日光に基づいて発電するソーラパネルが設けられていることが好ましい。
この構成によれば、ソーラパネルにより発電された電力が、宅配ボックスに搭載される各種電子部品に供給されることにより、宅配ボックス全体としての電力収支を改善したり、宅配ボックスの自立運転を可能としたりすることができる。
【００１１】
上記の宅配ボックスにおいて、屋根部材は、設置面に対して傾斜するように一対のボックス本体のそれぞれの天井面に固定されていることが好ましい。
この構成によれば、雨水が屋根部材を流れ易くなるため、排水性を向上させることができる。
【００１２】
上記の宅配ボックスにおいて、一対のボックス本体のそれぞれの側面の間に位置する通路空間の開口部分を開閉する扉部材を更に備えることが好ましい。
この構成によれば、通路空間の開口部分を扉部材により閉じることができるため、通路空間への雨水や日光の進入を更に抑制することができる。よって、更に的確に荷物を外部環境から保護することが可能となる。
【発明の効果】
【００１３】
本開示によれば、より的確に荷物を外部環境から保護することの可能な宅配ボックスを提供できる。
【図面の簡単な説明】
【００１４】
【図１】図１は、実施形態の宅配ボックスの斜視構造を示す斜視図である。
【図２】図２は、実施形態のボックス本体の正面構造を示す正面図である。
【図３】図３は、実施形態のボックス本体の背面構造を示す背面図である。
【図４】図４は、実施形態の宅配ボックスの側面構造を示す側面図である。
【図５】図５は、実施形態の屋根部材を除いた宅配ボックスの斜視構造を示す斜視図である。
【図６】図６は、実施形態の宅配ボックスの側面構造を示す側面図である。
【発明を実施するための形態】
【００１５】
以下、宅配ボックスの実施形態について図面を参照しながら説明する。説明の理解を容易にするため、各図面において同一の構成要素に対しては可能な限り同一の符号を付して、重複する説明は省略する。
図１に示される宅配ボックス１０は、例えば企業の屋外の敷地内の設置面Ｇに配置されている。図１に示されるように、宅配ボックス１０は、一対のボックス本体２０，３０と、屋根部材４０とを備えている。
【００１６】
図２に示されるように、一方のボックス本体２０は、直方体状の複数のボックス部２１がＸ軸方向に連結された構造からなり、全体として直方体状の構造を有している。ボックス本体２０は、設置面Ｇに対してＺ軸方向に直立するように配置されている。Ｚ軸方向は鉛直方向に相当する。Ｚ軸方向のうちの一方向であるＺ１方向は鉛直方向上方に相当し、Ｚ２方向は鉛直方向下方に相当する。
【００１７】
各ボックス部２１の内部には、荷物を収容可能な複数の収容空間がＺ軸方向に並べて配置されている。各ボックス部２１の前面２３には、複数の収容空間のそれぞれの開口部分を開閉する扉部材２２が設けられている。扉部材２２の施錠及び解錠は、各扉部材に個別に設けられる図示しない電子錠装置により行われる。
【００１８】
図３に示されるように、各ボックス部２１の背面２５の下方部分には、吸入口２６が形成されている。吸入口２６は、ボックス部２１の外部の空気をボックス部２１の内部に導入するための開口部である。吸入口２６からボックス部２１の内部に導入された空気は、ボックス部２１の内部を上方に向かって流れ、ボックス部２１の天井面２４に形成された図示しない微少な隙間を通じて外部に排出される。このボックス部２１の内部の空気の流れにより、例えばボックス部２１の内部で温度の上昇した空気が外部に排出されるため、ボックス部２１の内部の温度が過度に上昇し難くなっている。よって、温度上昇に起因するボックス部２１の内部の荷物の劣化を抑制することが可能となっている。
【００１９】
図２に示されるように、複数のボックス部２１のうち、中央に位置するボックス部２１の上半分には、操作部５０が設置されている。操作部５０には、タッチパネル５１等が設けられている。宅配業者や、荷物の受取人であるユーザは、このタッチパネル５１を操作することにより、ボックス部２１への荷物の収容や荷物の取り出しを行うことができる。
【００２０】
例えば、宅配業者が荷物を配達した際に、荷物の受取人であるユーザが不在であった場合には、宅配業者は、操作部５０のタッチパネル５１を操作することにより、一つ又は複数の扉部材２２の電子錠装置を解錠することができる。これにより、一つ又は複数の扉部材２２が開状態になるため、宅配業者は、開状態になった扉部材２２に対応するボックス部２１の収容空間に荷物を収容することができる。その後、ユーザは、都合の良い時間帯に操作部５０のタッチパネル５１を操作することにより、ボックス部２１の収容空間から荷物を取り出すことができる。
【００２１】
図１に示されるように、他方のボックス本体３０は、一方のボックス本体２０と同様に、複数のボックス部３１を備えている。これらのボックス部３１の構造は、一方のボックス本体２０のボックス部２１と同一であるため、それらの詳細な説明は割愛する。
図４に示されるように、一対のボックス本体２０，３０は、荷物の出し入れが行われる前面２３，３３が互いに対向し、且つそれぞれの前面２３，３３の間に所定の通路空間ＳＰが形成されるように配置されている。通路空間ＳＰは、宅配ボックス１０を利用する宅配業者やユーザが通行することの可能な空間である。
【００２２】
図４に示されるように、屋根部材４０は、ボックス本体２０，３０のそれぞれの天井面２４，３４を橋渡しするように設けられている。具体的には、図５に示されるように、ボックス本体２０，３０のそれぞれの天井面２４，３４には、複数の架橋部材６０ａ，６０ｂがねじ等により固定して取り付けられている。複数の架橋部材６０ａ，６０ｂは、Ｙ軸方向に延びるように形成された部材からなり、一方のボックス本体２０の天井面２４と他方のボックス本体３０の天井面３４とを橋渡しするように配置されている。以下では、Ｙ軸方向のうち、一方のボックス本体２０から他方のボックス本体３０に向かう方向をＹ１方向と称し、他方のボックス本体３０から一方のボックス本体２０に向かう方向をＹ２方向と称する。
【００２３】
架橋部材６０ａは、一方のボックス本体２０において隣り合うボックス部２１，２１のそれぞれの天井面２４，２４の境界部分、及び他方のボックス本体３０において隣り合うボックス部３１，３１のそれぞれの天井面３４，３４の境界部分に配置されている。架橋部材６０ａは、隣り合うボックス部２１，２１、及び隣り合うボックス部３１，３１にボルト等により固定されることにより、一方のボックス本体２０において隣り合うボックス部２１，２１同士を連結するとともに、他方のボックス本体３０において隣り合うボックス部３１，３１同士を連結している。
【００２４】
架橋部材６０ｂは、ボックス本体２０の天井面２４及びボックス本体３０の天井面３４のＸ軸方向の両端部にそれぞれ配置されている。
架橋部材６０ａ，６０ｂのそれぞれの上面は、Ｙ２方向に向かうほど、Ｚ軸方向の高さが短くなるように形成されている。よって、架橋部材６０ａ，６０ｂのそれぞれの上面は設置面Ｇに対して傾斜している。架橋部材６０ａ，６０ｂのそれぞれの上面には、平板状の屋根部材４０がねじ等により固定して取り付けられている。したがって、図４に示されるように、屋根部材４０は、設置面Ｇに対して傾斜するように配置されている。
【００２５】
図１に示されるように、屋根部材４０は、一対のボックス本体２０，３０のそれぞれの天井面２４，３４、及び通路空間ＳＰを覆うように配置されている。屋根部材４０には、通気口４１及びソーラパネル４２が設けられている。
通気口４１は、通路空間ＳＰの上方に当たる位置に設けられている。通気口４１は、屋根部材４０をＺ軸方向に貫通するように形成されている。通気口４１の内部には、図示しないファン装置が配置されている。ファン装置は、通路空間ＳＰから屋根部材４０の上方に向かう方向に空気を流通させている。この空気の流れにより、通路空間ＳＰ内の空気が外部に排出されるため、通路空間ＳＰの排熱性を向上させることが可能となっている。また、ボックス部２１の内部から天井面２４の微少隙間を通じて排出される空気、及びボックス部３１の内部から天井面３４の微少隙間を通じて排出される空気が通気口４１を通じて外部に排出されるため、ボックス部２１，３１の排熱性を向上させることも可能となっている。
【００２６】
ソーラパネル４２は、屋根部材４０に照射される日光に基づいて発電する。なお、宅配ボックス１０には、ソーラパネル４２において発電された電力を充電する図示しない蓄電装置が設けられている。蓄電装置は、充電された電力を放電することにより、操作部５０等、宅配ボックス１０に搭載される各種電子機器に電力を供給する。
【００２７】
図１に示されるように、一対のボックス本体２０，３０のＸ軸方向の一側面２７，３７には、通路空間ＳＰを開閉するための扉部材７０，７１が設けられている。扉部材７０は、ボックス本体２０の一側面２７に設けられた図示しないレール部材等によりＹ軸方向にスライド移動可能に取り付けられている。扉部材７１は、ボックス本体３０の一側面３７に設けられた図示しないレール部材等によりＹ軸方向にスライド移動可能に取り付けられている。
【００２８】
扉部材７０，７１は、通路空間ＳＰの中間付近で互いに突き合わされた状態となることにより閉状態になる。宅配ボックス１０を利用する宅配業者やユーザは、閉状態になっている扉部材７０，７１を手動で動かして扉部材７０，７１を開状態にすることにより、通路空間ＳＰに進入して宅配ボックス１０を利用することができる。宅配ボックス１０の利用を終えた宅配業者やユーザが扉部材７０，７１を再度閉状態にすることにより、通路空間ＳＰが閉塞される。なお、扉部材７０，７１は、手動で動くものに限らず、赤外線センサ等を用いて人を感知することにより自動で開閉動作する電動式のものを採用してもよい。
【００２９】
図６に示されるように、一対のボックス本体２０，３０のＸ軸方向の他側面２９，３９にも、同様の扉部材７２，７３が設けられている。よって、宅配ボックス１０では、扉部材７０，７１を閉状態とし、且つ扉部材７２，７３を閉状態とすることにより、通路空間ＳＰを閉空間にすることが可能である。
【００３０】
以上説明した本実施形態の宅配ボックス１０によれば、以下の（１）〜（５）に示される作用及び効果を得ることができる。
（１）一対のボックス本体２０，３０のそれぞれの前面２３，３３の間に形成される通路空間ＳＰが一対のボックス本体２０，３０及び屋根部材４０により覆われているため、仮に強風雨の状況であっても、通路空間ＳＰへの雨水の進入を抑制することができる。よって、通路空間ＳＰにおいて荷物の収容及び取り出しを行う際に、荷物に雨水が当たり難くなる。また、通路空間ＳＰが屋根部材４０により覆われることで、通路空間ＳＰへの日光の照射を屋根部材４０により遮ることができる。結果的に一対のボックス本体２０，３０の下部に日光が照射され難くなるため、日光の照射に起因するボックス本体２０，３０の温度上昇を抑制することができる。したがって、温度上昇に起因する荷物の劣化を抑制することができる。このように、本実施形態の宅配ボックス１０によれば、より的確に荷物を外部環境から保護することができる。
【００３１】
（２）屋根部材４０には通気口４１が設けられている。これにより、通路空間ＳＰ内の空気を通気口４１から外部に排出することができる。また、ボックス本体２０，３０の内部から通路空間ＳＰに流れる空気を通気口４１から外部に排出することもできる。よって、通路空間ＳＰ及びボックス本体２０，３０の内部における空気の循環性を向上させることができるため、通路空間ＳＰ及びボックス本体２０，３０の内部の温度上昇を抑制することができる。
【００３２】
（３）屋根部材４０には、日光に基づいて発電するソーラパネル４２が設けられている。このような構成によれば、ソーラパネル４２により発電された電力が、宅配ボックス１０に搭載される各種電子部品に供給されることにより、宅配ボックス１０全体としての電力収支を改善したり、宅配ボックス１０の自立運転を可能としたりすることができる。
【００３３】
（４）屋根部材４０は、設置面Ｇに対して傾斜するように一対のボックス本体２０，３０のそれぞれの天井面２４，３４に固定されている。このような構成によれば、雨水が屋根部材４０を流れ易くなるため、排水性を向上させることができる。
（５）宅配ボックス１０は、扉部材７０，７１及び扉部材７２，７３を更に備える。扉部材７０，７１は、一対のボックス本体２０，３０のそれぞれの一側面２７，３７の間に位置する通路空間ＳＰの開口部分を開閉する。扉部材７２，７３は、一対のボックス本体２０，３０のそれぞれの他側面２９，３９の間に位置する通路空間ＳＰの開口部分を開閉する。このような構成によれば、通路空間ＳＰの開口部分を扉部材７０，７１及び扉部材７２，７３により閉じることができる。よって、通路空間ＳＰへの雨水や日光の進入を更に抑制することができるため、更に的確に荷物を外部環境から保護することが可能となる。
【００３４】
なお、上記実施形態は、以下の形態にて実施することもできる。
・屋根部材４０には、通気口４１及びソーラパネル４２が設けられていなくてもよい。あるいは、屋根部材４０には、通気口４１及びソーラパネル４２のいずれか一方が設けられていてもよい。
【００３５】
・屋根部材４０は、設置面Ｇに対して平行に配置されていてもよい。
・通路空間ＳＰを開閉するための扉部材は、一対のボックス本体２０，３０の一側面２７，３７のいずれか一方にのみ設けられていてもよい。同様に、通路空間ＳＰを開閉するための扉部材は、一対のボックス本体２０，３０の他側面２９，３９のいずれか一方にのみ設けられていてもよい。
【００３６】
・宅配ボックス１０は、一組の扉部材７０，７１及び一組の扉部材７２，７３のいずれか一方のみが設けられる構造であってもよい。例えば、宅配ボックス１０に一組の扉部材７０，７１のみが設けられている場合には、一組の扉部材７２，７３に代えて外壁部材が配置されていてもよい。あるいは、宅配ボックス１０は、一組の扉部材７０，７１及び一組の扉部材７２，７３が両方とも設けられておらず、屋根部材４０のみが設けられている構造であってもよい。
【００３７】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００３８】
ＳＰ：通路空間
１０：宅配ボックス
２０，３０：ボックス本体
２３，３３：前面
２４，３４：天井面
４０：屋根部材
４１：通気口
４２：ソーラパネル
７０〜７３：扉部材
【図１】
2019195503.tif 000003
【図２】
2019195503.tif 000004
【図３】
2019195503.tif 000005
【図４】
2019195503.tif 000006
【図５】
2019195503.tif 000007
【図６】
2019195503.tif 000008